(57)【要約】【課題】前方側から容易に目視できるように、遊技機情報を記載したラベルを貼付する構成としても、遊技領域を広く確保できるパチンコ遊技機を提供すること。【解決手段】パチンコ遊技機１は、遊技領域１７と遊技領域の周囲の非遊技領域１８とを有した遊技盤１２の前面１２ａ側に、製造番号４４ａ等の遊技機情報を記載したラベル４３が貼付される。ラベル４３は、少なくとも一部を、遊技領域１７に対して前後方向に沿った後方側で重なる位置に配置させて、配設されている。【選択図】図２
2011103934.tif 000002
【特許請求の範囲】
【請求項１】
遊技領域と該遊技領域の周囲の非遊技領域とを有した遊技盤の前面側に、遊技機情報を記載したラベルが貼付されるパチンコ遊技機であって、
前記ラベルが、前記遊技機の前方側から目視可能として、少なくとも一部を、前記遊技領域に対して前後方向に沿った後方側で重なる位置に配置させて、配設されていることを特徴とするパチンコ遊技機。
【請求項２】
前記ラベルの前面側には、遊技球との直接接触を防止する透明な保護層が、配設されていることを特徴とする請求項１に記載のパチンコ遊技機。
【請求項３】
前記ラベルを貼付する貼付台部を有し、かつ、前記貼付台部に前記ラベルを貼付させた状態で前記保護層を配設可能としたラベル組付体、を備え、
該ラベル組付体が、前記ラベルを貼着させ、かつ、前記保護層を配設した状態で、前記遊技盤に対して、取着可能に構成されていることを特徴とする請求項２に記載のパチンコ遊技機。
【発明の詳細な説明】
【技術分野】
【０００１】
本発明は、遊技領域と遊技領域の周囲の非遊技領域とを有した遊技盤の前面側に、製造番号等の遊技機情報を記載したラベルが貼付されるパチンコ遊技機に関する。
【背景技術】
【０００２】
従来、製造番号等の遊技機情報を記載したラベルは、非遊技領域に貼付されていた。このラベルは、遊技盤の前面枠の小窓から見えるように、遊技盤右下の非遊技領域に、貼付されたり、受け皿の下部ユニットの小窓から見えるように、遊技盤右下の非遊技領域に、貼付される場合があった（例えば、特許文献１，２参照）。さらに、正面から目視できるように、ガイドレールの右外側の非遊技領域に、貼付されたり、あるいは、ガラス枠の小窓から見えるように、遊技盤の左右の上隅や右下隅の非遊技領域に、ラベルが貼付されるものもあった（例えば、特許文献３，４参照）。
【先行技術文献】
【特許文献】
【０００３】
【特許文献１】特開２００９−２１９９３９号公報
【特許文献２】特開２００７−３１２８１５号公報
【特許文献３】特開２００５−３２９０２９号公報
【特許文献４】特開２００２−０８５７５７号公報
【発明の概要】
【発明が解決しようとする課題】
【０００４】
しかし、従来のパチンコ遊技機では、遊技領域の周囲の非遊技領域に、ラベルが貼付される構成であり、その貼付スペースの確保のために、逆に、遊技領域を狭めることになっていた。また、前面枠や下部ユニット等の小窓からラベルを見る構造では、小窓の開口位置自体が、ラベルから前方に離れており、ラベルの見易さの点で、課題があった。さらに、現在、液晶表示部が拡大される傾向にあって、一層、遊技領域を小さくしてしまう要因が発生していた。
【０００５】
そのため、前方側から容易に目視できるようにラベルを貼付する構成としても、遊技領域を広く確保できるパチンコ遊技機が要望されていた。
【０００６】
本発明は、上述の課題を解決するものであり、前方側から容易に目視できるように、遊技機情報を記載したラベルを貼付する構成としても、遊技領域を広く確保できるパチンコ遊技機を提供することを目的とする。
【課題を解決するための手段】
【０００７】
本発明に係るパチンコ遊技機は、遊技領域と遊技領域の周囲の非遊技領域とを有した遊技盤の前面側に、遊技機情報を記載したラベルが貼付されるパチンコ遊技機であって、
ラベルが、遊技機の前方側から目視可能として、少なくとも一部を、遊技領域に対して前後方向に沿った後側で重なる位置に配置させて、配設されていることを特徴とする。
【０００８】
本発明に係るパチンコ遊技機では、ラベルが、少なくとも一部を、遊技領域の後方側に配置させており、遊技球の転動する遊技領域を狭めることなく、ラベルを配置できる。すなわち、遊技領域を狭めるような、遊技盤の非遊技領域側にラベルの貼付領域を広く確保しなくともよいことから、遊技領域の面積を狭めることなく、ラベルを配置できる。また、本発明に係るパチンコ遊技機では、遊技機のガラス扉のガラス等の透明材を介在させて、ラベルを遊技機の前方側から目視可能に構成されており、ラベルの一部が遊技領域側に配置されて、ラベルの残部が非遊技領域側に配置されても、その非遊技領域は、遊技領域に隣接して接近しており、ラベル全体を、前方側から容易に目視できる。
【０００９】
なお、ラベルとしては、製造番号や製造会社名等の遊技機情報を記載したもの、スペック（大当たり確率）等の遊技機情報を記載したもの、版権等の遊技機情報を記載したもの、賞球数等の遊技機情報を記載したもの等が、例示できる。
【００１０】
そして、本発明に係るパチンコ遊技機では、ラベルの前面側には、ラベルのめくれ、汚れ、擦れ等の防止のために、遊技領域を転動する遊技球との直接接触を防止する透明な保護層を、配設することが望ましい。なお、この場合の透明は、無色透明の他、ラベルの表示内容を目視できれば、青色や黄色等の有色透明であっても良い。
【００１１】
そして、この場合、本発明に係るパチンコ遊技機では、ラベルを貼付する貼付台部を有し、かつ、貼付台部にラベルを貼付させた状態で保護層を配設可能としたラベル組付体、を利用し、このラベル組付体に対して、ラベルを貼着させ、かつ、保護層を配設した状態で、ラベル組付体ごと、遊技盤に対して、取着可能に構成することが望ましい。このような構成では、ラベル組付体に、予め、ラベルを貼付させておき、パチンコホールにおいて、ラベル以外の部位が完成しているパチンコ遊技機に対し、後付けとして、簡単に、ラベル組付体ごと、ラベルを取り付けることができる。そのため、例えば、工場から出荷したパチンコ遊技機が輸送中に故障しても、容易に、現場において、適正機種に対し、ラベル組付体ごと、対応するラベルを貼付（配設）することができる。
【発明の効果】
【００１２】
本発明に係るパチンコ遊技機では、前方側から容易に目視できるようにラベルを貼付する構成としても、遊技領域を広く確保することができる。
【図面の簡単な説明】
【００１３】
【図１】本発明に係る一実施形態のパチンコ遊技機の概略正面図である。
【図２】実施形態のパチンコ遊技機のラベル付近を示す概略部分拡大正面図である。
【図３】実施形態のパチンコ遊技機のラベル付近の概略縦断面図であり、図２のIII−III部位に対応する。
【図４】実施形態のパチンコ遊技機のラベル付近を示す概略部分分解斜視図である。
【図５】実施形態の変形例を示す概略部分分解斜視図である。
【発明を実施するための形態】
【００１４】
（実施形態）
以下、本発明の一実施形態を図面に基づいて説明すると、実施形態のパチンコ遊技機（以下、単に遊技機と略す）１は、図１に示すように、外枠（機枠）２に、遊技盤１２を設けた中枠（内枠）１１と、中枠１１の前面側に位置してガラス扉４を設けたガラス枠ユニット（前面扉ユニット）３と、を、開き可能に取り付けて構成されている。ガラス枠ユニット３には、下部側に、球受け部６を設けた皿ユニット部５が設けられている。皿ユニット部５には、遊技球を遊技盤１２の遊技領域１７に打ち出すために操作するハンドル７や皿球抜きボタン８、通路球抜きボタン９、演出ボタン１０が配設されている。
【００１５】
遊技盤１２は、外側レール１３や内側レール１４、あるいは、右縁側の区画壁面１５、に囲まれて遊技球が転動する遊技領域１７と、遊技領域１７の周囲の遊技球の転動しない非遊技領域１８と、を備えて構成されている。遊技領域１７の中央部には、センター装飾部材２０が配設され、センター装飾部材２０の内側に、画像表示器２１の表示画面２１ａが配設されている。
【００１６】
遊技領域１７のセンター装飾部材２０の周囲には、図示しない釘、風車２３、普通入賞口２４、賞球の無い入賞口（ゲート）２５、第１始動口２６、第２始動口（電動チューリップ）２７、大入賞口（アタッカー）２８、アウト口２９等の公知の部材が配設されて、ハンドル７を操作し、遊技球を外側レール１３と内側レール１４との間から遊技領域１７に打ち出せば、遊技球は、普通入賞口２４、ゲート２５、第１始動口２６、第２始動口２７、大入賞口２８、アウト口２９のいずれかに入球する。そして、遊技球が、普通入賞口２４、第１始動口２６、開放時の第２始動口２７や大入賞口２８に入賞すれば、所定数の遊技球を獲得でき、ゲート２５を通過すれば、抽選により第２始動口２７を所定時間若しくは所定回数開放させることとなる。また、遊技球が、第１始動口２６や開放時の第２始動口２７に入賞すれば、抽選により、大当たり、中当たり、小当たり等の当たりや外れが決定され、当たりとなれば、大入賞口２８を、その当たりに応じて開放時間、開放回数、入賞個数等を制限して、開放することとなる。これらの作動や遊技フローは、公知のものであり、遊技盤１２の背面側（後面側）に配置された図示しないメイン制御基板が、入賞時のセンシングに基づき、各種の作動信号を出力し、そして、メイン制御基板からの当たりや外れ等の抽選結果に基づいて、図示しないサブ制御基板が、所定数の遊技球を払い出したり、所定のランプ３８やスピーカ３９等を作動させつつ、所定の演出を画像表示器２１に表示することとなる。
【００１７】
また、非遊技領域１８における遊技盤１２の右下隅には、図柄表示エリア３０が設けられている。図柄表示エリア３０には、図２に示すように、第１始動口２６への入賞を契機に画像表示器２１による装飾図柄の変動表示と同期して第１特別図柄を変動表示する第１特別図柄表示器３１、第２始動口２７への入賞を契機に画像表示器２１による装飾図柄の変動表示と同期して第２特別図柄を変動表示する第２特別図柄表示器３２、第１始動口２６へ入賞した遊技球Ｂの保留球数を最大４個まで表示する第１特別図柄保留ランプ３３、第２始動口２７へ入賞した遊技球Ｂの保留球数を最大４個まで表示する第２特別図柄保留ランプ３４、遊技球Ｂがゲート２５を通過したことを契機に普通図柄を変動表示する普通図柄表示器３５、ゲート２５を通過した遊技球Ｂの保留球数を最大４個まで表示する普通図柄保留ランプ３６、が配設されている。
【００１８】
そして、実施形態の遊技機１では、図１，２に示すように、遊技盤１２の図柄表示エリア３０の上方における遊技領域１７側と非遊技領域１８側とに跨るエリアを、ラベル４３を配設する貼付領域４１としている。さらに、この貼付領域４１に配設されたラベル４３は、遊技領域１７に対し、前後方向に沿った後方側で重なり、かつ、遊技盤１２の前面１２ａと連なるように、配設されている。実施形態の場合、この貼付領域４１には、ラベル４３を貼付した状態で遊技盤１２に取着されたラベル組付体４８が、配設されている。
【００１９】
なお、実施形態の遊技機１では、ガラス扉４におけるガラス４ｂを保持した枠本体４ａが、貼付領域４１の前方側において、ガラス４ｂの露出エリアを広げるように、右方側に凹む凹部４ａａを備えている。そのため、実施形態の場合、凹部４ａａの開口を含めた凹部４ａａ付近をガラス扉４の透視部位４ｃとして、貼付領域４１のラベル４３は、透視部位４ｃのガラス４ｂを介在させて、遊技機１の前方側から目視されることとなる。さらに、実施形態の場合、ラベル４３は、ガラス４ｂの他、ラベル４３の前面を覆う後述する透明なカバープレート５１も介在させて、遊技盤１２の前方側から目視されることとなる。
【００２０】
ラベル４３は、図２，４に示すように、正面側（前面側）に、製造番号４４ａ、組合証４５ａ、製造会社名４６ａ等の遊技機情報を記載して構成されている。そして、実施形態の場合、製造番号４４ａを記載した製造番号表示欄４４、製造会社名４６ａを記載した会社名表示欄４６、及び、日本遊技機工業組合の組合証４５ａを記載した組合証表示欄４５が、配設されている。実施形態の場合、このラベル４３は、組合証４５ａが記載されていることから、証紙とも言う。また、製造番号表示欄４４には、製造時期４４ｂも記載され、さらに、会社名表示欄４６には、適宜、新台か否かの記号も表示される。そして、製造番号表示欄４４と会社名表示欄４６とは、組合証表示欄４５を間にした両端に配設されている。この証紙としてのラベル４３では、少なくとも、製造番号４４ａが、遊技機１の一台ごとに相違することとなって、製造番号表示欄４４の記載が、最も、重要となる。なお、このラベル４３の記載内容としては、組合証４５ａがラベル４３毎に同じであることから、製造会社名４６ａを記載する会社名表示欄４６が、製造番号表示欄４４についで、ラベル４３毎の識別機能として、重要となる。
【００２１】
そして、このラベル４３は、裏面側に塗布された粘着剤により、貼付台部５０の前面の貼付面５０ａに貼付されている（図３参照）。さらに、実施形態の場合には、ラベル４３は、製造番号表示欄４４と会社名表示欄４６とを左右方向に沿って配置させるとともに、製造番号表示欄４４を、遊技領域１７内の左縁側に配置させるように、横向きに配設されている。
【００２２】
ラベル組付体（実施形態の場合、証紙組付体とも言える）４８は、図２〜４に示すように、ＡＢＳ樹脂、ポリアセタール、ポリカーボネイト、アクリル等の合成樹脂から形成されて、実施形態の場合、取着ベース部４９、貼付台部５０、及び、カバープレート５１、の三部品から構成されている。また、カバープレート５１は、透明材料から形成されているものの、取着ベース部４９と貼付台部５０とは、不透明な合成樹脂材料等から形成されている。
【００２３】
そして、取着ベース部４９は、若干前方へ突出しつつ遊技盤１２の前面１２ａと連なるような縦長の略長方形板状として、前面側に貼付台部５０を当てて載せる載置面４９ａを備え、載置面４９ａの外周縁には、貼付台部５０の外周を囲むように、リブ４９ｂが前方側に突設されている。また、取着ベース部４９の載置面４９ａにおける上下の縁側付近と左方の縁側付近とには、貼付台部５０のずれ防止用の挿入孔４９ｃ，４９ｄ，４９ｅが、前後方向に貫通されている。さらに、取着ベース部４９の上下のリブ４９ｂ付近には、カバープレート５１を取り付ける係止孔４９ｆ，４９ｇが、前後方向に貫通されている。
【００２４】
取着ベース部４９の背面側（後面側）には、取着手段４７としての棒状の取着片４７ａが、上下に離れて、後方側に突設されて配設されている。取着手段４７は、これらの取着片４７ａと、遊技盤１２に設けられて前後方向に貫通する取着孔４７ｃと、から構成されている。取着片４７ａには、取着孔４７ｃに嵌挿された際に、取着孔４７ｃの内周面に係止されて抜け止めを図る複数の円盤状の係止リップ部４７ｂが、配設されている。
【００２５】
貼付台部５０は、前面側をラベル４３の貼付用の貼付面５０ａとする縦長の略長方形板状としている。貼付台部５０の背面側には、取着ベース部４９の各挿入孔４９ｃ，４９ｄ，４９ｅに挿入される略四角柱状の係止突起５０ｂ，５０ｃ，５０ｄが後方に突設されている。係止突起５０ｂ，５０ｃ，５０ｄは、対応する挿入孔４９ｃ，４９ｄ，４９ｅに挿入されて、貼付台部５０の取着ベース部４９に対する上下左右へのずれ移動を、規制することとなる。
【００２６】
カバープレート５１は、透明なポリカーボネイトやアクリル等の合成樹脂から形成され、貼付台部５０の前面側に配置されて長方形板状のカバー本体部５２と、カバー本体部５２の前面５２ａ側から前方に突出する突出部５３と、を備えて構成されている。
【００２７】
カバー本体部５２は、貼付台部５０に貼付されたラベル４３のめくれ、汚れ、擦れ等を防止するように、ラベル４３の遊技球Ｂとの直接接触を防止する保護層としての役目を果たすものである。そのため、カバー本体部５２は、ラベル４３の前方側を覆って、前面５２ａを遊技球Ｂの通過スペースＳ（遊技領域１７）の後方側に露出させている。カバー本体部５２の後面側には、取着ベース部４９の上下の係止孔４９ｆ，４９ｇに挿入されて、取着ベース部４９に係止される係止脚５２ｂ，５２ｄが後方側に突設されている。係止脚５２ｂは、取着ベース部４９の上縁側の係止孔４９ｆに挿入されて、取着ベース部４９の後面側における係止孔４９ｆの周縁に係止される係止鉤５２ｃを備え、係止脚５２ｄは、取着ベース部４９の下縁側の係止孔４９ｇに挿入されて、取着ベース部４９の後面側における係止孔４９ｇの周縁に係止される係止鉤５２ｅを備えて構成されている。
【００２８】
カバープレート５１の突出部５３は、正面から見て略Ｊ字形に曲がる帯板状に形成され、遊技領域１７と非遊技領域１８とを区画するとともに、遊技球Ｂと摺接して遊技球Ｂを遊技領域１７内に留める区画壁面５３ａを、曲がった弧面の内周側に配設させて、構成されている。実施形態の場合、区画壁面５３ａは、遊技盤１２の右縁側における遊技領域１７と非遊技領域１８とを区画するように、外側レール１３の内周面に連なる区画壁面１５の一部を構成するもので、上端側から下方側にかけて、区画壁面１５のアウト口２９側の下部１５ａ側に連なるように、湾曲して形成されている。
【００２９】
そして、このラベル組付体４８では、まず、貼付台部５０の貼付面５０ａに、ラベル４３を貼付する。ついで、貼付台部５０の各係止突起５０ｂ，５０ｃ，５０ｄを取着ベース部４９の対応する挿入孔４９ｃ，４９ｄ，４９ｅに挿入させつつ、貼付台部５０を、取着ベース部４９の載置面４９ａに当てて載せる。その後、カバープレート５１の係止鉤５２ｅを係止孔４９ｇの下縁側の後面周縁に当てるように、係止脚５２ｄを係止孔４９ｇに挿入させ、さらに、係止鉤５２ｃ側を撓ませつつ係止脚５２ｂを係止孔４９ｆに挿入させて、係止鉤５２ｃを係止孔４９ｆの上縁側の後面周縁に係止させる。すると、カバープレート５１のカバー本体部５２がラベル４３を覆い、かつ、貼付台部５０が取着ベース部４９の載置面４９ａとカバー本体部５２との間で挟持された状態で、カバープレート５１が取着ベース部４９に取り付けられて、ラベル組付体４８の組み付けが完了することとなる。
【００３０】
なお、ラベル組付体４８は、組付完了時に、取着ベース部４９のリブ４９ｂの前端を、カバープレート５１のカバー本体部５２の前面５２ａと略面一とするように、設定されている。
【００３１】
ラベル組付体４８の組付完了後には、取着手段４７としての取着ベース部４９の各取着片４７ａを、遊技盤１２の取着孔４７ｃに挿入させて、取着孔４７ｃの内周面に取着片４７ａの係止リップ部４７ｂを撓ませて係止させれば、ラベル組付体４８が遊技盤１２に取着されて、ラベル４３を貼付領域４１に配置させることができる。
【００３２】
そして、遊技機１に配設されたラベル４３は、区画壁面５３ａが、ラベル４３の組合証表示欄４５を左右に分断するように、配設されて、ラベル４３の製造番号表示欄４４が、区画壁面５３ａの左方側で正面側（前面側）に露出されるように、配設され、会社名表示欄４６が、区画壁面５３ａの右方側で露出されることとなる。換言すれば、区画壁面５３ａが、製造番号表示欄４４と会社名表示欄４６とを分断するように、組合証表示欄４５の前方側に、配設されることとなる。
【００３３】
（実施形態の作用・効果）
（１）
以上のように、実施形態の遊技機１では、ラベル４３が、少なくとも一部の製造番号表示欄４４を、遊技領域１７に対して前後方向に沿った後方側で重ねるように、配置させており、遊技球Ｂの転動する遊技領域１７を狭めることなく、ラベル４３を配置できる。すなわち、遊技領域１７を狭めるような、遊技盤１２の非遊技領域１８側にラベル４３の貼付領域４１を広く確保しなくともよいことから、遊技領域１７の面積を狭めることなく、ラベル４３を配置できる。また、実施形態の遊技機１では、遊技機１のガラス扉４のガラス４ｂやカバープレート５１の透明材を介在させて、ラベル４３を遊技機１の前方側から目視可能に構成されており、ラベル４３の一部としての製造番号表示欄４４の製造番号４４ａと製造時期４４ｂとの記載の全域や組合証表示欄４５の略左半分が、遊技領域１７側に配置されて、ラベル４３の残部としての会社名表示欄４６の製造会社名４６ａの記載の全域や組合証表示欄４５の略右半分が、非遊技領域１８側に配置されても、その非遊技領域１８の部位は、遊技領域１７に隣接して接近していることから、ラベル４３全体を、前方側から容易に目視できる。
【００３４】
したがって、実施形態の遊技機１では、前方側から容易に目視できるように、遊技機情報を記載したラベル４３を貼付する構成としても、遊技領域１７を広く確保することができる。
【００３５】
（２）
また、実施形態の遊技機１では、ラベル４３の前面側には、遊技領域１７を転動する遊技球Ｂとの直接接触を防止する透明な保護層としてのカバー本体部５２が、配設されており、ラベル４３のめくれ、汚れ、擦れ等の防止を図ることができる。
【００３６】
（３）
さらに、実施形態の遊技機１では、ラベル４３を貼付する貼付台部５０を有し、かつ、貼付台部５０に貼付したラベル４３の保護層としてのカバー本体部５２を有したラベル組付体４８が利用されている。このような構成では、ラベル組付体４８に、予め、ラベル４３を貼付させておき、パチンコホールにおいて、ラベル４３以外の部位が完成している遊技機１に対し、後付けとして、簡単に、ラベル組付体４８ごと、ラベル４３を取り付けることができる。そのため、例えば、工場から出荷した遊技機１が輸送中に故障しても、容易に、現場において、適正機種に対し、ラベル組付体４８ごと、対応するラベル４３を配設することができる。
【００３７】
（４）
また、実施形態のラベル組付体４８では、ラベル４３を貼付する貼付台部５０が、取着ベース部４９やカバープレート５１と別体として構成されており、ラベル４３を別の遊技機１に配設する際、ラベル４３だけを貼付台部５０から剥がすことなく、ラベル４３を貼付した貼付台部５０ごと、予め準備しておいた他の取着ベース部４９とカバープレート５１とを備えて構成されたラベル組付体４８に対し、組み付けることができる。すなわち、上記のような構成では、ラベル４３を剥がす手間を無くして、奇麗な状態の取着ベース部４９とカバープレート５１とを備えて構成されたラベル組付体４８に対して、簡単に、ラベル４３を組み付けることができる。
【００３８】
（５）
さらに、実施形態の遊技機１では、保護層を、形状保持性を有して、遊技盤１２の前面１２ａに沿うように形成される透明なカバープレート５１（カバー本体部５２）から形成し、カバープレート５１は、遊技領域１７と非遊技領域１８とを区画するとともに、遊技球Ｂと摺接して遊技球Ｂを遊技領域１７内に留める区画壁面５３ａを有した突出部５３を、前方へ突設させている。このような構成では、遊技機１の前方側から見て、ラベル４３を遊技領域１７側と非遊技領域１８側とに跨いで配設させる構成としても、カバープレート５１の突出部５３自体も透明であることから、区画壁面５３ａ越しに見ても、ラベル４３の非遊技領域１８側に配置される部位（会社名表示欄４６や組合証表示欄４５の略左半分）を、容易に目視することができる。
【００３９】
（６）
また、実施形態の遊技機１では、ラベル４３を遊技領域１７側と非遊技領域１８側とに跨って配設させる際、製造番号４４ａと製造時期４４ｂとの記載の全域を、遊技領域１７側に配置させており、ラベル４３の表示項目として重要な製造番号表示欄４４が、区画壁面５３ａ越しに見ることなく、容易に、遊技領域１７の正面から目視できる。
【００４０】
（変形例）
なお、実施形態では、ラベル４３を遊技領域１７側と非遊技領域１８側とに跨って配設させた場合を示したが、ラベル４３の全域を遊技領域１７側に配設させても良い。
【００４１】
また、ラベル４３を遊技領域１７側と非遊技領域１８側とに跨って配設させる場合、実施形態では、製造番号表示欄４４側を遊技領域１７側に配置させた場合を示したが、正面から容易に目視できれば、図５に示すように、製造番号表示欄４４側を非遊技領域１８側に配置させるように、左右を逆転させても良い。
【００４２】
さらに、実施形態では、ラベル４３のめくれや汚れ等の防止のために、透明な保護層としてのカバー本体部５２を配設させた場合を示したが、めくれや汚れ等を防止できるように、ラベル４３が、貼付領域４１に強固に貼付され、かつ、汚れ難い（擦れ難い）貼付領域４１に配設されれば、保護層は不要となる。
【００４３】
さらにまた、保護層を設ける場合には、実施形態のカバープレート５１におけるカバー本体部５２のように、形状保持性を有したものでなくとも、可撓性を有した透明なフィルム状のシート材、あるいは、塗布して配設するコーティング層から、保護層を構成しても良い。
【００４４】
また、実施形態では、カバープレート５１の突出部５３が、帯板状に形成される場合を示したが、図５に示すように、区画壁面５３ａの前端から、非遊技領域１８のラベル４３の前面側を覆うように、遊技盤１２に沿って延びる平板状のカバー部５３ｂを、突出部５３に設けてもよい。このような構成でも、カバー部５３ｂが透明な平板状であることから、容易に、ラベル４３の記載内容（図例では、会社名表示欄４６や組合証表示欄４５の記載内容）を目視できる。
【００４５】
さらに、実施形態のラベル組付体４８は、取着ベース部４９、貼付台部５０、及び、カバープレート５１の三部品から構成したが、取着ベース部４９と貼付台部５０とは、一体的に製造された一体成形品から形成し、カバープレート５１と併せた二部品から、ラベル組付体４８を構成しても良い。
【００４６】
さらにまた、実施形態では、ラベル組付体４８を遊技盤１２に取着する取着手段４７として、係止リップ部４７ｂを備えた取着片４７ａを、遊技盤１２に設けた取着孔４７ｃに嵌合させる構造を例示した。しかし、ラベル組付体４８を遊技盤１２に取着させる取着手段は、係止リップ部４７ｂのようなばね弾性的に撓んで係止する撓み片やカバー本体部５２の係止脚５２ｂ等のような係止構造を利用する他、ラベル組付体４８と遊技盤１２とで相互に対応させて、ボルト・ナット止め構造、リベット止め構造等により、構成してもよい。
【符号の説明】
【００４７】
１…（遊技機）パチンコ遊技機、
１２…遊技盤、
１７…遊技領域、
１８…非遊技領域、
４３…ラベル、
４４ａ…（遊技機情報）製造番号、
４６ａ…（遊技機情報）製造会社名、
４８…ラベル組付体、
５０…貼付台部、
Ｂ…遊技球。
【図１】
2011103934.tif 000003
【図２】
2011103934.tif 000004
【図３】
2011103934.tif 000005
【図４】
2011103934.tif 000006
【図５】
2011103934.tif 000007